(57)【特許請求の範囲】
【請求項１】
それぞれ屋根構造および２つの垂直壁を有する第１および第２の隣接したビルディングユニットを有し、現場において施工可能な金属ビルディングであって、該ビルディングは、第１の多数の金属パネルおよび第２の多数の金属パネルからなり、
第１の多数の金属パネルは通常Ｕ型の所望断面形状に成形されており、該多数の金属パネルがサイドバイサイドに組合わされ且つ隣接するパネルの隣り合った縁が互いに連結されており、
該パネルの各々が前記ビルディングユニットの一方の屋根構造を形成するようにカーブした部分を有し、そして各々のパネルが２つの端部を有し、その両端部に前記一方のビルディングユニットの垂直壁を形成する真っ直ぐな部分を有しており、
前記第２の多数の金属パネルは各々が通常Ｕ型の断面形状に成形されており、互いにサイドバイサイドに連結されており、各々が真っ直ぐな部分を含む２つの端部を具備しており、第２の多数の金属パネルの各々が前記第１の多数の金属パネルの各々と実質的に同じ形状とされており、
互いに連結された第１の多数の金属パネルと互いに連結された第２の多数の金属パネルとは、第１の多数のパネルの真っ直ぐな端部部分と該端部部分と隣接する第２の多数のパネルの真っ直ぐな端部部分とが互いに背中合わせ関係になるように組み合わされてビルディングの支柱を構成しており、
該背中合わせに組み合わされた真っ直ぐな端部部分が中空コアを形成しており、該中空コアは前記隣接する第１のビルディングユニットの一つの垂直な壁および隣接する第２のビルディングユニットの一つの垂直な壁を画定する一つの共通の壁を形成していることを特徴とする金属ビルディング。
【請求項２】
前記中空コアが補強材により満たされている請求項１に記載の金属ビルディング。
【請求項３】
前記中空なコアが電気導線を含んでいる請求項２に記載の金属ビルディング。
【請求項４】
前記中空コアがコンクリートを含んでいる請求項３に記載の金属ビルディング。
【請求項５】
曲がった屋根構造および２つの垂直壁を含む少なくとも一つのビルディングユニットを具備し、現場において施工可能な金属ビルディングであって、該ビルディングは、第１の多数の金属ビルディングパネルおよび第２の多数の金属ビルディングパネルからなり、
該第１の多数の金属ビルディングパネルは通常Ｕ型の所望断面形状に成形されており、サイドバイサイドに組合わされ且つ隣接するビルディングパネルの隣り合った縁が互いに連結されており、
該第１の多数のビルディングパネルの各々が前記ビルディングユニットの少なくとも一つの屋根構造を形成するようにカーブしたアーチ部分を有し、そして各々のパネルが前記少なくとも一つのビルディングユニットの前記２つの垂直壁を形成する真っ直ぐな部分を具備した２つの端部を有しており、
前記第２の多数の金属ビルディングパネルは通常Ｕ型の所望断面形状に成形されており、サイドバイサイドに組合わされ且つ隣接するビルディングパネルの隣り合った縁が互いに連結されており、
該第２の多数のビルディングパネルの各々が２つの端部および真っ直ぐな長さ部分を有し、
互いに連結されたパネルの第１および第２の多数のパネルは、第１の多数のアーチ形状のパネルの真っ直ぐな端部部分と第２の多数のパネルの真っ直ぐな端部部分とが互いに背中合わせ関係になるように組み合わされて連結されてビルディングの支柱を構成しており、
前記背中合わせに組み合わされた第１および第２の多数のＵ型の断面形状のビルディングパネルが前記少なくとも一つのビルディングユニットの前記真っ直ぐな垂直壁の少なくとも一つを形成していることを特徴とする金属ビルディング。
【発明の詳細な説明】
【技術分野】
【０００１】
本発明は金属ビルディング構成の改良に関する。より詳しくは本発明は特に近接し互いにシームされたパネルから形成され、アーチ形をした屋根、および垂直な壁の、自立している金属ビルディングの構成に関する。
【背景技術】
【０００２】
従来技術において、アーチ形をしまたはカーブしており隣接して形成された金属ビルディングパネルから、サイドバイサイドに組み合わされシームされて形成された金属ビルディングは従来から知られている。例えば、そのようなビルディングを示すものとしてクノドソンに付与された特許文献１（米国特許第３，９０２，２８８号明細書（１９７５年）参照）、その特許文献１においては屋根パネルは完全に曲げられまたはアーチ形にされそして基礎部分まで延在している。このようなビルディングにあっては屋根パネルはビルディングの側壁として続いておりそして基本的なビルディング形状は端面から見た場合に連続したアーチ形状または半円形である。形成されたパネルがその箱の側縁のみならず底部においても波形に形成されて曲線を形成するようにした、このようなビルディング用の金属パネルを製造する機械はクノドソンに付与された特許文献２（米国特許第３，８４２，６４７号明細書（１９７４年））に示されている。互いにシームされた隣設するパネルによってビルディングを構築する方法がクノドソンに付与された特許文献３（米国特許第３，９６７，４３０号明細書（１９７６年））に開示されている。先行するクノドソンに付与された特許の隣接するパネル間にシームを形成するシーマーがクノドソンに付与された特許文献４（米国特許第３，８７５，６４２号明細書（１９７５年））に示されている。これらクノドソン特許により表されている先行技術はバージニア州レストンのエム  アイ  シー（ＭＩＣ）
インダストリーズ  インコーポレイティドにより所有されそしてモービル  ケースパン  （mobile
K-Span ）機械（登録商標）として売られている。
【０００３】
アーチ形をしたビルディング構成、すなわちその壁および屋根が完全にアーチ形をしている構成は利点があるが、多数の不利な点もある。１つの不利な点は垂直壁を欠いていることであり、それにより垂直な空間の使用が制限される。しばしば金属ビルディングの使用者は美観目的およびビルディングの縁部近傍の空間を一層使用可能とするとの双方の理由により垂直壁を欲する。更に、公知の従来機械はその機械の制約によって金属パネルの成形に使用できる鋼の厚さに制限がある。そのような金属ビルディングの基本的な大きさおよび強度もまた国および世界を通じて建築法典により決まるように局部風圧および活荷重により制限される。これら建築法典の基準は一層保守的であるので、建築家はある大きさのビルディングのみに制限されるようになっている。完全にアーチ形をしたビルディングは台風（ハリケーン）により生じるような過度の風荷重などを避けるためにその大きさが制限されねばならない。しかしながら、全屋根高さは全ビルディング幅の約１／５まで減少されたときには、台風（ハリケーン）の力の風は前面面積が減少されているのでビルディングにそれ程影響しない。従って、当該技術分野において、完全にはアーチ形はしておらず、しかしながら真っ直ぐな垂直壁を有しながら、一方、従来技術におけるシームされたパネル構造の経済性を用いている、連続したパネルにより形成された金属ビルディングという要求がある。このような垂直な壁ビルディングは当該技術分野における空間、経済性、有用性および強度における要求を満すであろう。
【０００４】
【特許文献１】米国特許第３，９０２，２８８号明細書
【特許文献２】米国特許第３，８４２，６４７号明細書
【特許文献１】米国特許第３，９６７，４３０号明細書
【特許文献４】米国特許第３，８７５，６４２号明細書
【発明の開示】
【発明が解決しようとする課題】
【０００５】
本発明は多数のビルディングが付加的な支柱なしで互いに連結されており、すなわち側壁が支柱として用いられている建築構成を提供するものである。
【課題を解決するための手段】
【０００６】
このことは、２つの垂直なパネルを背中合わせに組み合わせて、強固な支柱とすることにより達成される。更に必要に応じて押出された連結部材を補強するバーおよび垂直パネル間のスペースにコンクリートを入れて、更に強固な支柱とすることができる。
【０００７】
請求項１に記載の本発明においては、それぞれ屋根構造および２つの垂直壁を有する第１および第２の隣接したビルディングユニットを有し、現場において施工可能な金属ビルディングであって、該ビルディングは、第１の多数の金属パネルおよび第２の多数の金属パネルからなり、
第１の多数の金属パネルは通常Ｕ型の所望断面形状に成形されており、該多数の金属パネルがサイドバイサイドに組合わされ且つ隣接するパネルの隣り合った縁が互いに連結されており、
該パネルの各々が前記ビルディングユニットの一方の屋根構造を形成するようにカーブした部分を有し、そして各々のパネルが２つの端部を有し、その両端部に前記一方のビルディングユニットの垂直壁を形成する真っ直ぐな部分を有しており、
前記第２の多数の金属パネルは各々が通常Ｕ型の断面形状に成形されており、互いにサイドバイサイドに連結されており、各々が真っ直ぐな部分を含む２つの端部を具備しており、第２の多数の金属パネルの各々が前記第１の多数の金属パネルの各々と実質的に同じ形状とされており、
互いに連結された第１の多数の金属パネルと互いに連結された第２の多数の金属パネルとは、第１の多数のパネルの真っ直ぐな端部部分と該端部部分と隣接する第２の多数のパネルの真っ直ぐな端部部分とが互いに背中合わせ関係になるように組み合わされてビルディングの支柱を構成しており、
該背中合わせに組み合わされた真っ直ぐな端部部分が中空コアを形成しており、該中空コアは前記隣接する第１のビルディングユニットの一つの垂直な壁および隣接する第２のビルディングユニットの一つの垂直な壁を画定する一つの共通の壁を形成していることを特徴とする金属ビルディングが提供される。
【０００８】
また、請求項５に記載の本発明においては、曲がった屋根構造および２つの垂直壁を含む少なくとも一つのビルディングユニットを具備し、現場において施工可能な金属ビルディングであって、該ビルディングは、第１の多数の金属ビルディングパネルおよび第２の多数の金属ビルディングパネルからなり、
該第１の多数の金属ビルディングパネルは通常Ｕ型の所望断面形状に成形されており、サイドバイサイドに組合わされ且つ隣接するビルディングパネルの隣り合った縁が互いに連結されており、
該第１の多数のビルディングパネルの各々が前記ビルディングユニットの少なくとも一つの屋根構造を形成するようにカーブしたアーチ部分を有し、そして各々のパネルが前記少なくとも一つのビルディングユニットの前記２つの垂直壁を形成する真っ直ぐな部分を具備した２つの端部を有しており、
前記第２の多数の金属ビルディングパネルは通常Ｕ型の所望断面形状に成形されており、サイドバイサイドに組合わされ且つ隣接するビルディングパネルの隣り合った縁が互いに連結されており、
該第２の多数のビルディングパネルの各々が２つの端部および真っ直ぐな長さ部分を有し、
互いに連結されたパネルの第１および第２の多数のパネルは、第１の多数のアーチ形状のパネルの真っ直ぐな端部部分と第２の多数のパネルの真っ直ぐな端部部分とが互いに背中合わせ関係になるように組み合わされて連結されてビルディングの支柱を構成しており、
前記背中合わせに組み合わされた第１および第２の多数のＵ型の断面形状のビルディングパネルが前記少なくとも一つのビルディングユニットの前記真っ直ぐな垂直壁の少なくとも一つを形成していることを特徴とする金属ビルディングが提供される。
【０００９】
本発明によれば、屋根構造および２つの垂直壁を有する２つのパネルの垂直な壁同士を背中合わせに結合して組み合わせることにより強固な柱が提供される。そして垂直パネル間に形成された空間に、補強バーを設け、またはコンクリートで固めることが好ましい。
【発明の効果】
【００１０】
本発明によれば、多数のビルディングが付加的な支柱なしで互いに連結されており、すなわち側壁が支柱として用いられている建築構成が提供される。
【発明を実施するための最良の形態】
【００１１】
図１は本発明を用いて製造可能なビルディングの一つの形を示す正面図である。第１のビルディングユニットはパネルスパン２７０を含んでおり、パネルスパン２７０は２つの垂直壁部分２７４の間に挟まれたアーチ形をした屋根２７２を有している。
【００１２】
第２の隣接したビルディングユニットはパネルスパン２６６を含んでおり、そして弓形をした屋根２７２と垂直な壁部分２７４を含んでいる。
【００１３】
第１および第２のパネルスパン２６６、２７０は、それぞれ、図２に示すように、第１および第２の多数のパネルがサイドバイサイドに組合わされ且つ隣接するパネルの縁が互いに連結されて形成されている。
【００１４】
２つのビルディングユニットからなるビルディングは共通の垂直壁２７６を含んでおり、この垂直壁２７６は、図２に示すように、１つのパネルスパン２６６の垂直な端部部分および他のパネルスパン２７０の垂直な端部部分により形成されており、これら端部部分は図１および図２に示すように、互いに背中合わせに位置されている。端部部分はファスナー２８４（図２参照）により締結されている。
【００１５】
本発明は単一または多数のユニットからなるビルディングを構成するのに用いることができる。このアセンブリーは好ましくは当業界において知られているように、足場または基礎２６８の上に組み立てられる。
【００１６】
共通の垂直壁２７６の詳細が図２に示されている。両パネルスパン２６６、２７０の垂直の壁部分２７４は一緒に組み立てられたときには六角形状またはハネ−カム形状の空洞部分２７８を形成している。補強バーアセンブリー２８０がこの空洞部分２７８に位置されていてもよく、そしてこの空洞部分２７８はコンクリート（図示せず）により埋められて強度および支持を高めてもよい。
【００１７】
押出し成形されたアルミニウムパネルメンバー２８２がパネルの間に組み合わされて、ビルディングパネルが互いに背中合わせ状態でに固定されるようにファスナー２８４により締結してもよい。電気導線が押出し成形部材２８２内の空洞部分２８６を通されていてもよく、または空間部２７８の幾つかを通されていてもよくこの場合にはこの空間部はコンクリートで満たされないことになろう。
【００１８】
図３は他の完成したビルディング構造の詳細を示す。これらビルディングは垂直な壁部分２８０を有するパネルによって形成されており、垂直な壁部分２８０は傾斜した真っ直ぐな屋根部分２８２から曲がった部分２８４により分離されている。ビルディングの頂点の小さな曲り部分２８６が形状を完全なものとする。２またはそれ以上のユニットを具備したビルディングが上述したように図２に示したような垂直なコラムサポート（共通の垂直壁）２７６を用いることによって構築されることができる。このコンクリート詰めされた垂直なコラムは単一のビルディングにおいても真っ直ぐな垂直壁としても用いることができる。
【図面の簡単な説明】
【００１９】
【図１】本発明を用いて製造可能なビルディングの一つの形を示す正面図である。
【図２】図１のビルディングの詳細を示す斜視図であり、そのビルディングが組み立てられているアセンブリーを示しそして自立状態を示している。
【図３】本発明を用いて製造可能なビルディングの他の形状を示す正面図である。
【符号の説明】
【００２０】
２６６  パネルスパン
２６８  土台または基礎
２７０  パネルスパン
２７２  屋根
２７４  壁部分
２７６  垂直壁、垂直なコラム
２７８  ハネーカム形状
２８０  補強バーアセンブリ
２８２  アルミニウムパネル
２８４  ファスナー
２８６  成形部材の空間部
【図１】
0003638592.tif 000002
【図２】
0003638592.tif 000003
【図３】
0003638592.tif 000004